【事件の表示】
　平成　４年特許願第　９９９５１号「データ処理装置」拒絶査定に対する審判事件［平成　５年１１月１２日出願公開、特開平　５−２９８３６５］について、次のとおり審決する。
【結　論】
　本件審判の請求は、成り立たない。
【理　由】
１．手続の経緯・本願発明
　本願は、平成４年４月２０日の出願であって、その請求項１に係る発明（以下、本願発明という。）は、平成１３年８月３日付けの手続補正書によって補正された明細書及び図面の記載からみて、その特許請求の範囲の請求項１に記載された次のとおりのものと認める　
　
「各種情報を管理するための複数の機能が搭載されたデータ処理装置であって、前記各種情報を機能別に分類して文字データとして順次番号付けして記憶する記憶手段と、前記記憶手段内に記憶された文字データに含まれる特定の文字列を検索するための検索手段と、前記検索手段によって検索された特定の文字列を含む文字データの番号を順次記憶することにより一覧データを作成する一覧データ作成手段と、前記データを表示する表示手段と、前記一覧データ作成手段により作成された一覧データを構成する文字データの番号より文字データを特定し、特定した文字データより特定文字数のデータを抽出し、この特定文字数のデータを前記表示手段に選択項目として表示する一覧データ表示手段と、前記一覧データ表示手段によって表示された選択項目より所望の選択項目を選択する選択手段と、前記選択手段によって選択された選択項目に対する文字データを前記一覧データの番号に基づき呼び出し、前記表示手段に表示する詳細データ表示手段と、を備えてなることを特徴とする、データ処理装置。」
　
２．引用例記載の発明
　
（引用例１の記載事項）
　これに対して、当審における拒絶の理由に引用された特開平４−３７９５５号公報（平成４年２月７日出願公開。引用例１という。）には、図面と共に次の事項が記載されている。
「それぞれが独自のデータを制御する複数のモードを有する小型電子機器であって、該複数のモードの何れかの制御下にあるデータ中の任意の文字列を指定する手段、該指定された文字列を記憶する手段、及び他のモードの制御下にあるデータ中の該記憶された文字列を含むデータを検索する手段を備えた小型電子機器。」（特許請求の範囲）
「本発明の目的は、検索文字列の入力を繰り返すことなく複数のモード間で柔軟な検索を行うことができ、使い勝手の良い小型電子機器を提供することにある。」（公報第２頁左上欄第９〜１２行）
「ＲＡＭ１０は、ＲＯＭ９に記憶されているアプリケーションプログラムによって必要とされる可変情報、アプリケーションプログラムを用いて使用者によって作成されたデータ等を記憶するためのものである。ＲＡＭ１０には、電話帳用記憶領域１０１、スケジュール記憶領域１０２、メモデータ記憶領域１０３、メモデータ記憶領域１０３内のメモデータに関する情報を管理するためのテーブル１０４、各種のモードを記憶するためのモード記憶領域１０５、文章データ記憶領域１０６、文章記憶領域１０６内の文章データの階層関係等を管理するための管理テーブル１０７、及びアプリケーションプログラム間でデータのやり取りを行うためのデータ交換用記憶領域１１０が設けられている。ＲＡＭ１０には又、各種の変数、ポインタ、フラグのための領域が設けられている。ＲＡＭ１０には更に、データ検索のための一時記憶領域１１１が設けられている。」（同第３頁右上欄第１８〜左下欄第１５行）
「ステップＳ４でデータ検索の実行が指示された場合には、検索モードへ入り、ステップＳ６へ進む。ステップＳ６では、表示されているデータ中の空白で区切られた最初の文字列が、検索に於いてキーとして用いられる検索文字列として自動的に指定され、指定された検索文字列がＬＣＤ５上で反転表示される。」（同第３頁右下欄第１１〜１７行）
「更に、どのモードの制御下にあるデータに対して検索を行うかの選択を使用者に促す表示がＬＣＤ５になされる。ステップＳ１１でモードが選択されると、ステップＳ１２で、選択されたモードの制御下にあるデータ中の検索文字列を含むデータを検索する。」（同第４頁左下欄第１８〜右上欄第５行）
　
　上記の記載事項からみて、引用例１には、「独自のデータを制御する複数のモードを有する小型電子機器であって、独自のデータをモード別に分類してデータとして記憶するＲＡＭ、検索文字列を含むＲＡＭ内に記憶されたデータを検索する手段、データを表示するＬＣＤを備えた小型電子機器。」（以下、「引用例１に記載された発明」という。）が記載されていると認められる。
　
（引用例２の記載事項）
　また、同じく引用された特開平３−１５６６７８号公報（以下、引用例２という。）には、図面と共に次の事項が記載されている。
　
「本発明は、（略）文書検索時、該検索データを入力すると、該検索データに基づいて文書を検索して選び出せるようにすることにより、目的とする文書を検索データにより容易に選び出せるようにする（略）。」（公報第２頁左上欄第１９行〜右上欄第４行）
「文書内容による検索処理が指定されると、検索条件の入力、すなわち検索データ（略）の入力を待ち、検索条件が入力されると、入力された検索条件により外部記憶部５の検索データファイルＤＦを検索する（略）条件に適合する文書を全て選び出す。選び出した文書の文書名（文書No．も含めて）を表示部２に表示し、表示部２に表示した複数の文書からキーボード３により文書が指定されると（文書No．が入力されると）、指定に従って外部記憶部５から文書ファイルＳＦ１〜ＳＦｎを呼び出す（略）。したがって、検索データとその検索条件を入力するだけで、目的とする文書が選別されて表示され、選別された文書中から目的の文書を読み出させることができる。」（同第３頁右下欄第１１行〜第４頁左上欄第１０行）
　
（引用例３の記載事項）
　また、同じく引用された特開昭６３−６１３４５号公報（以下、引用例３という。）には、図面と共に次の事項が記載されている。
　
「文字入力装置と、入力された文字列をファイル名として収容するファイル名記憶装置と、前記ファイル名記憶装置に収容されたファイル名に従って外部記憶装置から該当ファイルの少なくとも一部を読み出す手段と、読み出したファイルの内容を収容するテキストコード記憶装置と、前記テキストコード記憶装置に収容された内容を前記ファイル名記憶装置に収容されたファイル名とともに表示装置に表示するよう制御する制御装置を備えたことを特徴とする外部記憶装置の制御装置。」（特許請求の範囲）
「まずステップａでオペレータによって入力装置１から入力された文字コードをファイル名として、ファイル名記憶装置５に収容する。（略）ステップｂで入力装置１から、ファイル検索の司令が入力されると中央処理装置１０は、外部記憶制御装置４に対して（略）検索するように司令を出す。（略）ステップｃで、ファイル名が一致した場合、ステップｅに進み外部記憶制御装置４は、更に外部記憶装置１０より、１番目に格納されているファイルの先頭テキストコードを例えば１０文字分を読み出し、（略）中央処理装置１０は（略）ステップｆに進み（略）ファイル名記憶装置７に収容されているファイル名と、テキストコード記憶装置８に収容されているテキストコード１０文字を表示装置２に第５図のように表示させる。以上のステップｅ〜ｆまでを繰り返しながら第８図のようにファイルのファイル名と先頭テキストの１０文字分を表示する。（略）オペレータは第６図のようにファイル名とテキストの一部が表示された表示装置２の画面を見ることによって、各ファイルの内容を知ることができる。」（公報第２頁右上欄第１２行〜右下欄第１７行）
　
３．本願発明と引用例１に記載された発明との対比
　
　本願発明と引用例１に記載された発明を対比すると、引用例１に記載された発明の「独自のデータ」、「モード」、「小型電子機器」、「ＲＡＭ」及び「ＬＣＤ」は、それぞれ本願発明の「各種情報」、「機能」、「データ処理装置」、「記憶手段」及び「表示手段」に相当し、引用例１に記載された発明の「検索する手段」は独自のデータをモード別に分類して記憶するＲＡＭ内に記憶されたデータを検索する機能を有することから、本願発明の「検索手段」に相当しているので、
　両者は「各種情報を管理するための複数の機能が搭載されたデータ処理装置であって、各種情報を機能別に分類して文字データとして記憶する記憶手段と、記憶手段内に記憶された文字データに含まれる特定の文字列を検索するための検索手段と、データを表示する表示手段と、を備えてなることを特徴とするデータ処理装置。」である点で一致し、以下の点で相違する。
　
（相違点）　
　本願発明は、記憶手段は文字データを番号付けして記憶し、検索手段によって検索された特定の文字列を含む文字データの番号を順次記憶することにより一覧データを作成する一覧データ作成手段と、一覧データ作成手段により作成された一覧データを構成する文字データの番号より文字データを特定し、特定した文字データより特定文字数のデータを抽出し、この特定文字数のデータを表示手段に選択項目として表示する一覧データ表示手段と、一覧データ表示手段によって表示された選択項目より所望の選択項目を選択する選択手段と、選択手段によって選択された選択項目に対する文字データを前記一覧データの番号に基づき呼び出し表示手段に表示する詳細データ表示手段とを有する構成であるのに対して、引用例１に記載された発明はそのような構成を備えていない点。
　
４．当審の判断
　
　上記相違点について検討する。
　
　引用例２には、文書（本願発明の「文字データ」に相当する。）を文書No．（同「番号」に相当する。）付けして記憶する記憶手段、所望の選択項目を選択するキーボード（同「選択手段」に相当する。）、検索手段によって検索された文書の文書No．及び文書名を記憶することにより一覧データを作成して選択項目として表示手段に表示し、キーボードで選択された選択項目に対する文書を文書No．に基づき呼び出し表示手段に表示する制御部（同「一覧データ作成手段」、「一覧データ表示手段」、「詳細データ表示手段」に相当する。）を備える文書編集装置の検索処理方法が記載されている。
　引用例１に記載された発明の検索処理方法として引用例２に記載された発明を採用することは、当業者が容易に推考できたものと認められ、その際に、選択項目として表示するものとして文字データより抽出した特定文字数のデータを用いることは、引用例３に記載のように周知の技術手段であることから、上記相違点を格別のものとは認めることはできない。
　よって、本願発明と引用例１に記載された発明との上記相違点は、引用例２，３に記載された発明に基いて、当業者が容易に推考できた程度のものと認められる。
　
５．むすび
　
　したがって、本願発明は、引用例１−３に記載された発明に基いて、当業者が容易に推考できたものと認められるから、特許法第２９条第２項の規定により特許を受けることができない。
　
　よって、結論のとおり審決する。